(57)【特許請求の範囲】
【請求項１】
作業者に対して着脱自在に装着可能な装着部に、径小なくびれ部を具備するビットを吊下げ可能な吊下げ部が設けられているビット携帯用ホルダーであって、前記吊下げ部は、板材に前記ビットを貫通状態で掛止可能な掛止孔が貫通形成され、この掛止孔は、孔幅が前記ビットの外径より小さく且つ前記くびれ部の外径より大きく設定されてこの掛止孔にくびれ部を掛止可能に構成されていると共に、上下方向に長さを有するスリット状の長孔に形成されて、この掛止孔にくびれ部を掛止したビットを掛止孔に沿って上下方向にスライド移動可能に構成され、この掛止孔を設けた前記板材が湾曲状に折曲されて掛止孔が弧状を描く長孔となるように構成され、この掛止孔の上部に前記ビットの外径より径大でビットを挿脱自在な出入孔部が連設されて、この出入孔部から挿入した前記ビットのくびれ部を前記掛止孔に掛止し掛止孔に沿って下降スライド移動させることでこのビットを吊り下げし得、この吊り下げ状態のビットを掛止孔に沿って上昇スライド移動させることで前記出入孔部に位置させてこの出入孔部から挿脱し得るように構成されており、前記掛止孔は、その上部が側方に延設する鉤形孔に形成されてこの側方延設孔部に前記出入孔部が設けられていることを特徴とするビット携帯用ホルダー。
【請求項２】
前記掛止孔を設けた前記板材が湾曲状に折曲されて、この掛止孔の上部に連設する前記出入孔部が上向きの孔となると共に、掛止孔の下側孔部が下向きの孔となるように構成されていることを特徴とする請求項１記載のビット携帯用ホルダー。
【請求項３】
前記吊下げ部は、前記板材に前記掛止孔が複数並設状態に設けられていることを特徴とする請求項１，２のいずれか１項に記載のビット携帯用ホルダー。
【発明の詳細な説明】
【技術分野】
【０００１】
本発明は、電動工具等に取り付けて使用するビットを、作業中に吊下げて携帯するためのビット携帯用ホルダーに関するものである。
【背景技術】
【０００２】
従来から、電動工具等に取り付けて使用するビット（ソケットやドライバーなど）のシャンク部を着脱自在に取り付けて作業中に携帯できるビット携帯用ホルダーが提案されている（例えば、特許文献１参照）。
【０００３】
この従来のビット携帯用ホルダーを簡単に説明すると、作業着のベルト通し部に連結する連結環（通称ナスカン）の下部に、ソケットやドライバービットなどのシャンク部（六角棒状部分）を差し込むための差込孔を備えた取付筒が連結されている。
【０００４】
また、取付筒には、その軸方向にスライド移動可能な外筒が設けられると共に、この外筒を一方向へスライド移動させることで没動可能となる球体が前記差込孔内に設けられていて、この球体が、差込孔に差し込んだシャンク部の径小なくびれ部に係止することでシャンク部をロックでき（ビットを取り付けでき）、前記外筒を一方向にスライド移動させて球体を没動可能にすることで差込孔よりシャンク部を抜き差しできる（ビットを着脱できる）ように構成されている。
【０００５】
従って、このビット携帯用ホルダーによれば、例えばドライバービットの場合、同サイズのドライバービットを予備として携帯したり、あるいはサイズ違いのドライバービットを携帯しておくことができ、また、連結環に対し複数の取付筒を連結しておけば、多数のビットを携帯することもできて便利である。
【先行技術文献】
【特許文献】
【０００６】
【特許文献１】意匠登録第１２９６７５６号公報
【発明の概要】
【発明が解決しようとする課題】
【０００７】
上記従来のビット携帯用ホルダーは、ビットの着脱に外筒のスライド操作を要するため、一方の手で外筒をスライドさせながらもう一方の手でビットを着脱するようにしなければならなかった。即ち、ビットの着脱操作には必ず両手を使わなければならず、操作性にやや難があった。
【０００８】
また、この種ビット携帯用ホルダーは、屋外作業に用いられることが多いと、ゴミが内部に入ったり錆びたりして外筒や球体の動きが悪くなるので、小まめなメンテナンスが必要であった。
【０００９】
本発明は、このような従来のビット携帯用ホルダーの問題点に注目し、これを解決しようとするもので、ビットの着脱操作を片手で容易に行うことができ、面倒なメンテナンスも必要としない実用性に優れたビット携帯用ホルダーを提供するものである。
【課題を解決するための手段】
【００１０】
添付図面を参照して本発明の要旨を説明する。
【００１１】
作業者Ｗに対して着脱自在に装着可能な装着部１に、径小なくびれ部３を具備するビット２を吊下げ可能な吊下げ部４が設けられているビット携帯用ホルダーＡであって、前記吊下げ部４は、板材５に前記ビット２を貫通状態で掛止可能な掛止孔６が貫通形成され、この掛止孔６は、孔幅が前記ビット２の外径より小さく且つ前記くびれ部３の外径より大きく設定されてこの掛止孔６にくびれ部３を掛止可能に構成されていると共に、上下方向に長さを有するスリット状の長孔６に形成されて、この掛止孔６にくびれ部３を掛止したビット２を掛止孔６に沿って上下方向にスライド移動可能に構成され、この掛止孔６を設けた前記板材５が湾曲状に折曲されて掛止孔６が弧状を描く長孔６となるように構成され、この掛止孔６の上部に前記ビット２の外径より径大でビット２を挿脱自在な出入孔部７が連設されて、この出入孔部７から挿入した前記ビット２のくびれ部３を前記掛止孔６に掛止し掛止孔６に沿って下降スライド移動させることでこのビット２を吊り下げし得、この吊り下げ状態のビット２を掛止孔６に沿って上昇スライド移動させることで前記出入孔部７に位置させてこの出入孔部７から挿脱し得るように構成されており、前記掛止孔６は、その上部が側方に延設する鉤形孔に形成されてこの側方延設孔部８に前記出入孔部７が設けられていることを特徴とするビット携帯用ホルダーに係るものである。
【００１２】
また、前記掛止孔６を設けた前記板材５が湾曲状に折曲されて、この掛止孔６の上部に連設する前記出入孔部７が上向きの孔となると共に、掛止孔６の下側孔部６Ａが下向きの孔となるように構成されていることを特徴とする請求項１記載のビット携帯用ホルダーに係るものである。
【００１３】
また、前記吊下げ部４は、前記板材５に前記掛止孔６が複数並設状態に設けられていることを特徴とする請求項１，２のいずれか１項に記載のビット携帯用ホルダーに係るものである。
【発明の効果】
【００１４】
本発明は上述のように構成したから、装着部により作業者が装着して吊下げ部にビットを吊下げでき、しかも、ビットを出入孔部に挿入し掛止孔に沿って下降スライド移動させるだけで吊下げできると共に、吊下げたビットを掛止孔に沿って上昇スライド移動させるだけで取り外しできるので、このビットの着脱操作は片手で容易に行うことができ、また、掛止孔は、この掛止孔を形成する板材が湾曲状に折曲されていることによって弧状を描く長孔に構成されているため、この長孔の下側孔部を下向きの孔にしてビットが垂下状態で安定的に吊下げられるように設計することも容易にでき、弧状の掛止孔に沿ってビットが弧状の軌跡を描きながらスムーズにスライド移動できるから、ビットを手で昇降スライド操作することはもちろんビットを自重で下降スライド移動させることもでき、その上、従来品のような複雑なロック構造を具備せず、貫通形成した掛止孔（長孔）にビットのくびれ部を掛止して吊下げるシンプルな吊下げ部を構成したため、簡易に設計実現可能で特別なメンテナンスも要しないなど、極めて実用性に優れたビット携帯用ホルダーとなる。
【００１５】
また、本発明においては、万一意思に反してビットが掛止孔を上昇スライド移動しても、上昇しただけではビットが勝手に外れることのない一層安全性に優れた構成のビット携帯用ホルダーとなる。
【００１６】
また、請求項２記載の発明においては、例えば、装着部を介して本発明品を作業者の腰付近（ベルトなど）に装着した場合に、上向きの出入孔部を作業者が上方からの目線で確認し易く、この出入孔部を視認しながらビットを容易に挿入・挿脱操作することができ、しかも、下向きの下側孔部にビットを垂下状態で安定的に吊下げできるなど、一層実用性に優れた構成のビット携帯用ホルダーとなる。
【００１７】
また、請求項３記載の発明においては、複数のビットを同時に吊下げて携帯できる一層実用性に優れた構成のビット携帯用ホルダーとなる。
【図面の簡単な説明】
【００１８】
【図１】本実施例の吊下げ部にビットを吊下げた状態を示す斜視図である。
【図２】本実施例の使用状態を示す斜視図である。
【図３】本実施例の使用状態における正面図である。
【図４】本実施例の使用状態における説明側断面図である。
【発明を実施するための形態】
【００１９】
好適と考える本発明の実施形態を、図面に基づいて本発明の作用を示して簡単に説明する。
【００２０】
装着部１により本発明のビット携帯用ホルダーＡを作業者Ｗが装着できる。
【００２１】
このビット携帯用ホルダーＡは、吊下げ部４の掛止孔６に径小なくびれ部３を具備するビット２を貫通状態で掛止して吊下げ（携帯）でき、この吊下げたビット２は、必要に応じ掛止孔６（吊下げ部４）から取り外して使用できる。
【００２２】
具体的に説明すると、ビット２を吊下げ部４に吊下げる時は、先ず、ビット２の外径より径大で掛止孔６の上部に連設する出入孔部７にビット２を挿入する。
【００２３】
すると、この出入孔部７に挿入したビット２は、そのくびれ部３を、ビット２の外径より小さく且つ前記くびれ部３の外径より大きい孔幅の掛止孔６へと移動することができ、この掛止孔６に移動したビット２は、くびれ部３が掛止孔６に掛止されて掛止孔６を貫通した状態で掛止孔６の貫通方向へは抜止状態となり、このビット２のくびれ部３を掛止孔６に沿って下降スライド移動させると、このビット２が掛止孔６の下側孔部６Ａに吊下げられる。
【００２４】
吊下げたビット２を吊下げ部４から取り外す時は、ビット２を掛止孔６に沿って上昇スライド移動させて前記出入孔部７に位置させると、このビット２を出入孔部７から挿脱（取り外し）できる。
【００２５】
また、ビット２を掛止孔６に沿って下降若しくは上昇スライド移動する際、この掛止孔６は、板材５を湾曲状に折曲することによって弧状を描く長孔６となっているので、この長孔６の下部（下側孔部６Ａ）が下向きの孔となるように設計してビット２が垂下状態で安定的に吊下げられるように設計することも容易に可能となり、しかも、例えば掛止孔６の下部を例えば直角に折曲することで下側孔部６Ａをビット２の吊下げに適した下向きの孔にするような構成であると、掛止孔６の折曲部分でくびれ部３が引っ掛かってスムーズにスライド移動できないことが懸念されるが、本発明によれば弧状の掛止孔６に沿ってビット２が弧状の軌跡を描きながら極めてスムーズにスライド移動できることになる。従って、例えばビット２を掛止孔６に対し自重で下降スライド移動させることもできる。
【００２６】
従って、両手での着脱操作を要する従来までのビット携帯ホルダーとは異なり、ビット２を出入孔部７に挿入する動作に続いてそのまま掛止孔６に沿って下降スライド移動させるだけの片手操作でビット２を吊下げでき、且つ吊下げ状態のビット２を掛止孔６に沿って上昇スライド移動させるだけの片手操作でビット２を取り外しできる。
【００２７】
また、従来のビット携帯用ホルダーのような、外筒のスライドによる複雑なロック構造を具備せず、貫通形成した掛止孔６（長孔６）にビット２のくびれ部３を掛止して吊下げるシンプルな吊下げ構造のため、特別なメンテナンスを必要としない。
【００２８】
また、本発明の吊下げ部４は、例えば、板材５に前記掛止孔６と前記出入孔部７とを貫通形成した上で、板材５を湾曲状に折曲するだけで足りる構成のため、この簡易構造の吊下げ部４と前記装着部１とからなる本発明のビット携帯用ホルダーＡは、簡易に設計実現可能である。
【００２９】
また、前記掛止孔６は、その上部が側方に延設する鉤形孔に形成されてこの側方延設孔部８に前記出入孔部７が設けられているため、吊下げ状態のビット２が掛止孔６に沿って上昇スライド移動しても、上昇位置から更に側方に移動させない限りは出入孔部７から挿脱することができない。即ち、万一意思に反してビット２が掛止孔６を上昇スライド移動しても、それだけではビット２が勝手に外れることがないので、一層安全性に優れる。
【００３０】
また、例えば、前記掛止孔６を設けた前記板材５を湾曲状に折曲して、この掛止孔６の上部に連設する前記出入孔部７が上向きの孔となると共に、掛止孔６の下側孔部６Ａが下向きの孔となるように構成すれば、例えば、後述の実施例のように、装着部１を介して本ビット携帯用ホルダーＡを作業者Ｗの腰付近（腰ベルト10など）に装着した場合に、上向きの孔となっている出入孔部７を作業者Ｗが上方からの目線で確認し易く、この出入孔部７を視認しながらビット２を容易に挿入・挿脱操作することができる。そして、下向きの下側孔部６Ａにビット２を垂下状態で安定的に吊下げできる。
【００３１】
また、例えば、前記吊下げ部４は、前記板材５に前記掛止孔６を複数並設状態に設ければ、用途の異なるビット２やサイズ違いのビット２を複数同時に吊下げて携帯できる。
【実施例】
【００３２】
本発明の具体的な実施例について図面に基づいて説明する。
【００３３】
本実施例のビット携帯用ホルダーＡは、作業者Ｗに対して着脱自在に装着可能な装着部１に、径小なくびれ部３を具備するビット２を吊下げ可能な吊下げ部４を設けた構成としている。
【００３４】
ここでビット２について説明すると、電動工具やエアー工具の先端のソケット部に着脱自在な既存の先端工具のことをいう。具体的には、電動工具等に取り付け可能な断面多角形（本実施例では六角形）の棒状体９の先端にドライバーやソケットやチャックなどが設けられていると共に、棒状体９の先端側の外周面に係止溝が周設されて円弧状に凹んだ前記くびれ部３が形成されているものである。図面では、棒状体９の両側の先端部にドライバーが設けられた両頭ドライバービット２Ａと、棒状体９の片側の先端部にソケットが設けられたドリル用ソケット２Ｂと、棒状体の片側の先端部にチャックが設けられたドリルチャック２Ｃの三種類を示しているが、これらに限らず、くびれ部３を有するビット２であれば本実施例で携帯可能である。
【００３５】
本実施例の装着部１は、作業者Ｗが装着するベルト10に対して着脱自在に装着可能な構成としている。
【００３６】
具体的には、装着部１は、図１〜図４に示すように、方形状の金属板材の左右両側に、縦長スリット状のベルト通し孔11を貫通形成した構成とし、この左右のベルト通し孔11に作業者Ｗが着用する腰ベルト10を挿脱自在に挿通することで、本ビット携帯用ホルダーＡを作業者Ｗが腰部分に装着できる構成としている。
【００３７】
また、この装着部１は、ベルト通し孔11を有する左右板部を中央板部に対しやや裏面側（作業者Ｗ側）へ折曲してベルト通し孔11にベルト10を挿通し易くしている。
【００３８】
本実施例の前記吊下げ部４は、板材５に前記ビット２を貫通状態で掛止可能な掛止孔６を貫通形成した構成としている。
【００３９】
具体的には、前記装着部１を構成する金属板材を、その下部に、装着部１より横広な方形板が一体成形された形状に形成して、この下部の方形板部分を前記板材５とし、この板材５に前記貫通孔６を貫通形成して前記吊下げ部４を構成している。即ち、本実施例では、装着部１と吊下げ部４とを一枚の金属板による一体物に構成した場合を示している。
【００４０】
また、貫通孔６は、その孔幅を前記ビット２の外径より小さく且つ前記くびれ部３の外径より大きく設定してこの掛止孔６にくびれ部３を掛止可能に構成すると共に、上下方向に長さを有するスリット状の長孔６に形成して、この掛止孔６にくびれ部３を掛止したビット２を掛止孔６に沿って上下方向にスライド移動可能に構成している。
【００４１】
また、この掛止孔６は、図１〜図３に示すように、その上部を側方に延設する鉤形状（Ｌ字状）の孔に形成してこの側方延設孔部８に、前記ビット２の外径より径大でビット２を挿脱自在な出入孔部７を連設状態に貫通形成している。
【００４２】
また、側方延設孔部８は、掛止孔６と同等の孔幅を有するものとし、その側方先端部だけをビット２の外径より径大な丸孔に形成して、この径大丸孔を前記出入孔部７としている。
【００４３】
従って、この出入孔部７に挿入したビット２は、先ずそのくびれ部３を出入孔部７と隣接する側方延設孔部８の狭幅部分に移動させることでこの側方延設孔部８の狭幅部分に掛止られ、その後、前記掛止孔６へと移動させることで掛止孔６に掛止られることになり、この掛止孔６に掛止したビット２を掛止孔６に沿って下降スライド移動させることでこのビット２を掛止孔６の下側孔部６Ａに吊り下げし得るように構成している。
【００４４】
また、この吊下げ状態のビット２を取り外す時には、吊り下げ状態のビット２を掛止孔６に沿って上昇スライド移動させてそのスライド上限位置で側方延設孔部８に移動させ前記出入孔部７から挿脱する。即ち、吊下げたビット２が意思に反して掛止孔６を上昇移動しても、それだけでは挿脱できず、更にこの際、ビット２を少し側方へ移動させた程度では側方延設孔部８の狭幅部分にあってビット２は挿脱できず、意図的に端部の出入孔部７にまで移動させない限りはビット２を挿脱できない安全性を考慮した構成としている。
【００４５】
本実施例では、この掛止孔６を設けた前記板材５を、図１，図３に示すように、前記装着部１よりその表面側で湾曲状に折曲（装着部１の表面側に湾曲突出するように折曲）して側面視円筒状の折曲板材５に形成し、これにより掛止孔６が折曲板材５とともに弧状を描く長孔６となると共に、前記出入孔部７が上向きの孔となり（吊下げ部４の上面側に存し）、掛止孔６の下側孔部６Ａが下向きの孔となる（吊下げ部４の下面側に存する）ように構成している。
【００４６】
従って、装着部１を介して本ビット携帯用ホルダーＡを作業者Ｗの腰ベルト10に装着すると、上向きの孔となっている出入孔部７を作業者Ｗが上方からの目線で確認し易く、この出入孔部７を視認しながらビット２を容易に挿入・挿脱操作することができると共に、下向きの下側孔部６Ａにビット２を垂下状態で安定的に吊下げでき、また、吊下げたビット２を吊下げ部４から取り外す時は、ビット２を掛止孔６に沿って上昇スライド移動させ前記側方延設孔部８を介し出入孔部７に位置させることによって、このビット２を出入孔部７から挿脱（取り外し）できるが、この取り外し時のビット２の位置確認も容易に行われる構成としている。
【００４７】
また、ビット２を掛止孔６に沿って上昇若しくは下降スライド移動して下側孔部６Ａに吊下げるが、この際、掛止孔６は弧状を描く長孔６となっているので、弧状の掛止孔６に沿ってビット２が弧状の軌跡を描きながらスムーズにスライド移動でき、出入孔部７から挿入したビット２を、手を離して掛止孔６に対し自重で下降スライド移動させても、引っ掛かりにくくスムーズにスライド移動する構成としている。
【００４８】
また、本実施例では、この掛止孔６を板材５の数箇所に横並設状態に設け、この数箇所の掛止孔６に数体のビット２を同時に吊下げできるように構成している。更に詳しくは、本実施例では、掛止孔６を板材５の三箇所に横並設状態に設け、この三箇所の掛止孔６にビット２を最大で同時に三体吊下げできる構成としている。
【００４９】
尚、本発明は、本実施例に限られるものではなく、各構成要件の具体的構成は適宜設計し得るものである。
【符号の説明】
【００５０】
１  装着部
２  ビット
３  くびれ部
４  吊下げ部
５  板材
６  掛止孔・長孔
６Ａ  下側孔部
７  出入孔部
８  側方延設孔部
Ａ  ビット携帯用ホルダー
Ｗ  作業者
【図１】
0006023690.tif 000002
【図２】
0006023690.tif 000003
【図３】
0006023690.tif 000004
【図４】
0006023690.tif 000005